(57)【要約】【課題】装飾性を有すると同時に、吸音性、遮音性を有し、容易に施工できる吸音ボードを提供すること。【解決手段】装飾層と剛性を有する基体とが積層された吸音ボードであって、基体が、所定間隔で平行する溝を有し、かつ、溝の、基体の長手方向に対して垂直な断面が、互いに隣接するネック部及び胴体部を有する形状である吸音ボード。【選択図】図１
2013250501.tif 000002
【特許請求の範囲】
【請求項１】
装飾層と剛性を有する基体とが積層された吸音ボードであって、
基体が、所定間隔で平行する溝を有し、かつ、
溝の、基体の長手方向に対して垂直な断面が、互いに隣接するネック部及び胴体部を有する形状である吸音ボード。
【請求項２】
装飾層が、プラスチックフィルムから構成される装飾フィルム層と、接着層とが積層された層であり、直径２０〜５００μmで数密度が２〜７００個/ｃｍ2の微小な穴を有する請求項１に記載の吸音ボード。
【請求項３】
装飾層が、通気性を有する不織布または織布である請求項１に記載の吸音ボード。
【請求項４】
基体が、樹脂またはセラミックからなる請求項１〜３のいずれか一項に記載の吸音ボード。
【発明の詳細な説明】
【技術分野】
【０００１】
本発明は、吸音ボードに関するものである。
【背景技術】
【０００２】
コンサートホールやスタジオ等の吸音や遮音を目的として、従来から、壁材、天井材、床材等として使用する木質、無機質、樹脂、金属等から構成される吸音材が使用されている。また、住宅やオフィスにおいても、近所や隣室への音漏れを防ぐために、壁、天井、床等に貼付して使用する吸音材が使用されている。
【０００３】
そのため、吸音性、遮音性、及び装飾性を併せ持ち、かつ住宅やオフィスの頻繁なリフォームに対応できるよう施工が容易な吸音材が求められている。
【０００４】
例えば特許文献１には、ハニカム構造や仕切り板で空間を設け吸音特性を付与する吸音仕切壁が記載されている。このような仕切壁は、建築段階で取り付けるか、あるいは改築する際に取り付ける必要があり容易に設置することが難しい。また通常の住宅やオフィス用途では、装飾性に欠ける傾向がある。
【０００５】
また、特許文献２には、微小な穴を有する装飾フィルム層に、不燃性連続発泡体層及び接着剤層を積層した吸音装飾シートが開示されている。この吸音装飾シートは、建築物の壁面、天井面、床面またはパーティション等に貼り付けて使用するものである。
【先行技術文献】
【特許文献】
【０００６】
【特許文献１】特公昭６３−３４２６３号公報
【特許文献２】特開２０１０−１９６４２１号公報
【発明の概要】
【発明が解決しようとする課題】
【０００７】
装飾性を有すると同時に、吸音性、遮音性を有し、容易に施工できる吸音ボードを提供する。
【課題を解決するための手段】
【０００８】
本発明は、装飾層と剛性を有する基体とが積層された吸音ボードであって、基体が、所定間隔で平行する溝を有し、かつ、溝の、基体の長手方向に対して垂直な断面が、互いに隣接するネック部及び胴体部を有する形状である吸音ボードを提供するものである。
【発明の効果】
【０００９】
本発明により、装飾性を有すると同時に、吸音性、遮音性を有し、容易に施工できる吸音ボードを提供することが可能となる。また基体として特定の素材を用いる場合、不燃性を有する吸音ボードを提供することが可能となる。
【図面の簡単な説明】
【００１０】
【図１】本発明の吸音ボードの一例を示す斜視図である。
【図２】本発明の吸音ボードの基体の一例を示す斜視図である。
【図３】本発明の吸音ボードの他の一例を示す断面図である。
【図４】本発明の吸音ボードの他の一例を示す断面図である。
【図５】本発明の吸音ボードの吸音ボードの基体の一例を示す断面図である。
【図６】本発明の吸音ボードの吸音率（図６ａ）及び音響透過損失（図６ｂ）を示すグラフである。
【図７】本発明の吸音ボードの吸音率（図７ａ）及び音響透過損失（図７ｂ）を示すグラフである。
【図８】本発明の吸音ボードの吸音率（図８ａ）及び音響透過損失（図８ｂ）を示すグラフである。
【図９】本発明の吸音ボードの吸音率を示すグラフである。
【図１０】本発明の吸音ボードの吸音率を示すグラフである。
【図１１】本発明の吸音ボードの吸音率を示すグラフである。
【発明を実施するための形態】
【００１１】
以下、添付図面を参照しながら本発明の実施形態を詳細に説明する。なお、図面の説明において同一又は同等の要素には同一の符号を付し、重複する説明を省略する。
【００１２】
図１は、本発明の吸音ボードの一例を示す斜視図である。装飾層２は基体３に積層されている。装飾層２は微小な穴５（以下「穴５」ということがある）を有し、基体３は所定間隔で互いに平行する複数の溝４を有する。
【００１３】
装飾層２は、吸音ボードに装飾性を付与する層であり、その表面（最外層）に色彩、模様、または文字、又はこれらを組み合わせたもの（装飾）が施されているか、有色で無地の層である。
【００１４】
装飾層２は、単一の層でも複数の層であってもよい。例えば、プラスチックフィルムから構成される装飾フィルム層と接着層との積層体とすることができる。この場合、装飾フィルム層と接着層との積層体に、穴５を施すことができる。穴５は、基体３の溝４に連通する位置に設けることが、吸音効率向上の点から好ましい。
【００１５】
装飾フィルム層は、穴５を有する。穴５の直径は、装飾フィルム層の表面すなわち基体３とは反対側の面における微小な穴の直径を示す。穴５の直径は、基体の溝４の幅よりも小さいことが好ましく、例えば、約２０μｍ〜約５００μｍ、約４０μｍ〜約３５０μｍ、または約５０μｍ〜約２５０μｍとすることができる。また穴５の数密度は、２〜７００個/ｃｍ２とすることができる。数密度は、単位面積当たりの微小な穴の数を示し、例えば約４〜約６２５個/ｃｍ２、または約１０〜約２００個/ｃｍ２とすることができる。かかる範囲において、装飾性を維持しつつ所望の吸音性を得ることができる。穴５の直径と数密度の好適な範囲は、それぞれ適宜組み合わせて用いることができる。
【００１６】
穴５は、装飾層２を基体３に積層したときに、溝４と外部とを連通することができるよう、溝４の形状に合わせて穿孔することが好ましい。隣り合う穴の中心の間隔（ピッチＰ１）は、要求される吸音特性や、製造上の観点から選択することができ特に限定されない。例えば、約１ｍｍ〜約１０ｍｍ、または約３ｍｍ〜約８ｍｍとすることができる。図１に示すように、基体３の長手方向に平行する溝４に合わせて穴５を設ける場合、長手方向に隣り合う穴５の中心の間隔と、長手方向と垂直な方向に隣り合う穴５の中心の間隔が異なってもよい。
【００１７】
装飾フィルム層としては、従来公知のプラスチックフィルムを使用することができる。例えば、塩化ビニル系樹脂、塩化ビニル−酢酸ビニル系樹脂、アクリル系樹脂、ポリエステル樹脂、セルロース系樹脂、またはポリオレフィン系樹脂等の各種合成樹脂よりなるフィルムを用いることができる。装飾フィルム層の厚さは特に限定されないが、例えば約０．０１ｍｍ〜約０．５ｍｍとすることができる。
【００１８】
接着層としては、装飾フィルム層と基体とを接着することができる従来公知の感圧性接着剤や感熱性接着剤を用いることができる。例えば、感圧性接着剤としては、粘着性ポリマーを含有する単層フィルム状の感圧接着フィルムや、２つの感圧接着層を有する両面接着シートを使用することができる。
【００１９】
接着層は、例えば、剥離紙の剥離面の上に塗膜化した粘着剤層を有する剥離紙付き粘着剤層を別途用意し、この粘着剤層とフィルム層とをドライラミネートすることによって製造することができる。あるいは、装飾フィルム層に直接粘着性ポリマー等の接着剤を塗布・乾燥して接着層とすることができる。
【００２０】
接着層の厚さは特に限定されないが、例えば、約０．０１ｍｍ〜約０．２ｍｍとすることができる。
【００２１】
装飾フィルム層は、上述のようにして装飾フィルム層と接着層とを積層した後、例えば、レーザーを用いて、あるいは針やドリル等により微小な穴を施すことにより得られる。あるいは、市販の内装用装飾シートや粘着剤付きのグラフィックフィルムに上述のようにして微小な穴を設けたものを用いることができる。
【００２２】
レーザーは、従来公知の装置を用いて照射することができるが、例えば、堀内電機社製炭酸ガスレーザー照射機（ＬＳＳ−Ｓ０５０ＶＡＨ−Ｗ）あるいは、住友重機械工業メカトロニクス社製炭酸ガスレーザー照射機（ＬＵＭＯＮＩＣＳ ＩＭＰＡＣＴ２５００「ＬＡＶＩＡ１０００ＴＷ」）を使用することができる。
【００２３】
後者の照射機を用いる場合、レーザー照射装置の仕様を、波長９．３μｍｍ、レーザー照射機の平均最大出力６５Ｗ、ガルバノシステム×２ヘッド、加工条件を、出力１〜１．６Ｗとすることができる。
【００２４】
装飾層２として、装飾を有する不織布や織布等通気性を有する素材を用いることもできる。この場合、装飾層２と基体３との間に接着層を設けてもよいし、装飾層２をステープラーや吸音ボードの側面を覆うフレーム等で基体に固定することもできる。
【００２５】
基体３は、所定間隔で基体の長手方向に延びる互いに平行な複数の溝４を有する。基体３は剛性を有するため、吸音ボードに剛性を与え、施工を容易にすることができる。尚、「剛性を有する」とは、実質的に可撓性を有しないことを示す。
【００２６】
基体３としては、樹脂やセラミック等を使用することができる。
【００２７】
樹脂としては、ポリ塩化ビニル樹脂、ポリプロピレン等のポリオレフィン樹脂、アクリル樹脂、ウレタン樹脂、ポリカーボネート樹脂、ＡＢＳ樹脂等を用いることができる。
【００２８】
「セラミック」とは、基本成分が金属酸化物で、高温で熱処理することによって焼き固めた物質をいう。成分としては、従来公知の材料を用いることができる。例えば、セメント、珪藻土、消石灰、アルミナ、ジルコニア、ハイドロキシアパタイト、または炭化ケイ素等、あるいはこれらを混合して用いることができる。さらに必要に応じて所望の機能を付与するための添加剤を加えることができる。基体３として、セラミックを使用する場合、吸音ボードに不燃性を付与することができる。
【００２９】
基体３は、上述した要素の他、安定化剤等公知の添加剤を添加してもよい。
【００３０】
基体３の厚さは特に限定されないが、例えば、約３ｍｍ〜約１００ｍｍ、または約１０ｍｍ〜約３０ｍｍとすることができる。
【００３１】
溝４は、長手方向に対して垂直な断面がネック部４ａ及び胴体部４ｂを有する形状をしている。
【００３２】
基体３は、材料となる樹脂やセラミックを用いて、従来公知の方法により製造可能である。例えば、溝４の長手方向に垂直な断面の形状とほぼ同様の形状を有する型（口金）を準備し、樹脂やセラミック等の材料を押出し、続いてオートクレーブ等で焼結（養生）した後乾燥することにより製造することができる。
【００３３】
図２は、基体３の一例を示す斜視図である。溝４が長手方向に並行に施されており、いずれの場所においても、同一の溝における長手方向に垂直な断面の形状は同一である。
【００３４】
図３は、吸音ボードの他の一例を示す長手方向に対して垂直な断面の断面図である。胴体部の断面形状が矩形になっている例である。胴体部の断面形状はどのような形状であってもよいが、ネック部の直径Ｌ１よりも胴体部の直径Ｌ２の方が長い方が、吸音効率の点から好ましい。また、図３に示すように、溝４のネック部４ａの直径が装飾層２に施された穴５の直径より大きくなっていることが、吸音率向上の点から好ましい。
【００３５】
図４は、吸音ボードの他の一例を示す断面図である。隣り合う溝４のネック部４ａの長さが互い違いになっている。このように、基体３に施した溝４の断面形状やネック部４ａあるいは胴体部４ｂの長さや大きさを調整したり、溝の体積を調整したりすることによって吸音特性をコントロールすることができる。
【００３６】
また、各溝の断面形状は、同一の溝については同一であるが、隣り合う溝同士の断面形状が同じでなくてもよい。
【００３７】
図５は、吸音ボードの基体の一例を示す断面図である。基体３は装飾層２とは反対側の一部に溝４を有しない基体底部６を有する。
【００３８】
ネック部４ａと胴体部４ｂの形状やサイズは特に限定されないが、ネック部４ａの直径Ｌ１は胴体部４ｂの直径Ｌ２より小さいことが吸音率向上の点から好ましい。
【００３９】
ネック部４ａの直径Ｌ１は、例えば、約０．５ｍｍ〜約３ｍｍとすることができる。ネック部４ａの長さＬ５は、例えば、約０．５ｍｍ〜約９８ｍｍとすることができる。
【００４０】
また、胴体部４ｂの直径Ｌ２は、ネック部直径Ｌ２と平行する面で胴体部を切ったときに最大の距離を有する部分の長さをいい、例えば、約１ｍｍ〜約９８ｍｍとすることができる。
【００４１】
胴体部４ｂの長さＬ６は、例えば、約１ｍｍ〜約９８．５ｍｍとすることができる。
【００４２】
溝の深さＬ３は、ネック部の長さＬ５と胴体部の長さＬ６の合計である。また、溝の深さＬ３と基体底部の厚さＬ４の合計は基体全体の厚さである。
【００４３】
溝の深さＬ３は、所望の吸音性や遮音性に応じて適宜選択することができ限定されないが、例えば、約１．５ｍｍ〜約９９ｍｍとすることができる。
【００４４】
また、隣り合う溝４は互いに平行して長手方向に伸びていることが好ましい。溝４は直線であっても曲線であっても良いが、基体３の製造上の観点、及び装飾層２の穴５と溝４の位置を合わせる観点からは、直線であることが好ましい。
【００４５】
隣り合う溝４の各々の中心線間の距離（ピッチＰ２）は、適宜選択することができ限定されない。ピッチＰ２は、製造上の観点、吸音性の観点、あるいは吸音ボードの強度の観点などから選択することができる。具体的には例えば、約２ｍｍ〜約１０ｍｍとすることができる。
【００４６】
吸音ボードは、上述した要素の他、プライマー層や表面保護層等の機能を付与する層を設けることができる。
【００４７】
基体底部６を有することにより、吸音ボードに遮音性を付与することができる。基体底部の厚さＬ４は、特に限定されないが、例えば、約１ｍｍ〜約９８ｍｍ、とすることができる。基体底部の厚さを厚くすると遮音性が向上する一方、厚すぎると吸音ボードが重たくなり施工性や運搬の点から好ましくない。
【００４８】
吸音ボード全体の厚さ、すなわち、装飾層２と基体３との厚さの合計は、吸音性や遮音性の観点、吸音ボードの強度や製造上の観点から適宜選択することができる。具体的には例えば、約２．５ｍｍ〜約１００ｍｍとすることができる。
【００４９】
吸音ボードは、上述したように、例えば押出しにより成形した基体３の、溝の開口部を有する面に、装飾層２を積層することにより得られる。
【００５０】
吸音ボードは、例えば、一般家屋、集合住宅、ビルその他の建築物の壁面、天井面、床面、またはパーティションなどとして使用することができる。
【００５１】
吸音ボードは、穴５の数密度や直径、溝４の深さ、ネック部の長さ、胴体部の長さ、溝４の断面形状、基体底部の厚さを調節することにより吸音特性や遮音特性をコントロールできるので、設置する場所や環境に合わせてより有効な吸音特性や遮音特性を有する吸音ボードを提供することができる。
【００５２】
吸音ボードは、その端部を公知の材料で覆い、溝が閉じた空間になるか、あるいは装飾層の穴または装飾層の通気性により外と連通するようになっていてもよい。しかし、吸音ボードは、図１に記載されている様に、端部で溝が解放されている状態であっても、吸音特性及び遮音特性を有するので、端部を覆わなくても使用することができる。
【００５３】
吸音ボードは、基体の材料を、所望の断面形状と略同一の形状を有する型から押出して成形し、得られた基体に装飾層を公知の方法により積層して製造することができる。装飾層が微小な穴を有する装飾フィルムと接着層との積層体である場合は、装飾層と基体とを積層する際に、装飾層の微小な穴が、基体の溝と一致し、穴と溝とが連通するようにすることが好ましい。穴と溝とが連通している場合、穴を通して外部の音が溝に入り、吸音及び遮音効果がより大きくなる。また、押出しに使用する型の形状やサイズを変えることにより、所望の基体を得ることができる。
【実施例】
【００５４】
吸音率の測定
ＪＩＳ  １４０５−２の垂直入射吸音率の測定法に従い、Ｂ＆Ｋ（株）製垂直入射吸音測定機を用いて垂直入射吸音率を測定した。サンプル径は３０ｍｍとなるようにした。
音響透過損失（遮音特性）の測定
遮音特性として、ＪＩＳ  １４０５−２の垂直入射透過損失の測定法に従い、日東紡音響エンジニアリング（株）製垂直入射透過損失測定機を用いて垂直入射透過損失を測定した。サンプル径は４0ｍｍとなるようにした。
【００５５】
実施例１
実施例１のサンプル作製
ポリ塩化ビニル（ＰＶＣ）樹脂（徳山積水社製ＴＳ−８００Ｅ）に安定剤、滑剤を添加し押し出し機で混練溶融させ図１のような断面になるように押出し型で押出し冷却して基体を製造した。
【００５６】
溝の深さは約６ｍｍ、基体底面の厚さは約４ｍｍ、基体全体の厚さは約１０ｍｍ、ネック部の直径は約１ｍｍ、ネック部の長さは約２ｍｍ、胴体部の直径は約２ｍｍ、胴体部の長さは約４ｍｍ、ピッチ（Ｐ２）は約３ｍｍであった。
【００５７】
装飾層として、ポリ塩化ビニル製フィルムとアクリル系粘着剤を積層した住友スリーエム社製ダイノックィルムＦＷ−８８８（ライナー付き、厚さ約２００μｍ）に、堀内電機社製炭酸ガスレーザー照射機（ＬＳＳ−Ｓ０５０ＶＡＨ−Ｗ）により、出力６Ｗのレーザーを照射して、直径約０．２ｍｍの穴を、ピッチ（Ｐ１）が約３ｍｍとなるように施した（数密度１６個／ｃｍ２）。得られた微小な穴を有するダイノックフィルムからライナーを剥がし、これを、上記で得られた基体の溝の中心とフィルムの穴の中心とが一致するように、貼り付けて吸音ボードサンプルを作成した。得られた吸音ボードサンプルの吸音率と音響透過損失を測定し、結果を図６に示した。
【００５８】
実施例２
セメント２０質量％・珪藻土（ＳｉＯ２）３０質量％、消石灰（Ｃａ（ＯＨ））３０質量％に、２０質量％のロックウ−ル繊維を水と粘度状にまぜセラミックを図１のような断面になるように押出し型で押出し１２０℃のオートクレーブで５０分加熱加圧養生した後、乾燥して基体を製造した。
【００５９】
基体の溝の深さは約７ｍｍ、基体底面の厚さは約５ｍｍ、基体全体の厚さは約１２ｍｍ、ネック部の直径は約２ｍｍ、ネック部の長さは約２ｍｍ、胴体部の直径は約４ｍｍ、胴体部の長さは約５ｍｍ、ピッチ（Ｐ２）は約６ｍｍであった。得られた基体に、実施例１と同様の装飾層を積層して吸音ボードサンプルを作成した。得られた吸音ボードサンプルの吸音率と音響透過損失を測定し、結果を図７に示した。
【００６０】
実施例３
ポリ塩化ビニル（ＰＶＣ）樹脂（徳山積水社製ＴＳ−８００Ｅ）に安定剤、滑剤を添加し押し出し機で混練溶融させ図１のような断面になるように押出し型で押出し冷却して基体を製造した。
【００６１】
溝の深さは約１０ｍｍ、基体底面の厚さは約４ｍｍ、基体全体の厚さは約１４ｍｍ、ネック部の直径は約２ｍｍ、ネック部の長さは約４ｍｍ、胴体部の直径は約４ｍｍ、胴体部の長さは約６ｍｍ、ピッチ（Ｐ２）は約６ｍｍであった。得られた基体に、実施例１と同様の装飾層を積層して吸音ボードサンプルを作成した。得られた吸音ボードサンプルの吸音率と音響透過損失を測定し、結果を図８に示した。
【００６２】
実施例４−１〜４−３
実施例２と同様のセラミックを図１の様な断面でかつ溝の深さと基体底面の厚さを変えた押出し型で押出し１２０℃のオートクレーブで５０分加熱加圧養生した後、乾燥して三種類の基体を製造した。
【００６３】
実施例４−１の基体は、溝の深さは約７ｍｍ、基体底面の厚さは約５ｍｍ、基体全体の厚さは約１２ｍｍ、ネック部の直径は約２ｍｍ、ネック部の長さは約４ｍｍ、胴体部の直径は約３ｍｍ、胴体部の長さは約３ｍｍ、ピッチ（Ｐ２）は約６ｍｍであった。得られた基体に、実施例１と同様の装飾層を積層して吸音ボードサンプル（実施例４−１）を作成した。
【００６４】
実施例４−２の基体は、溝の深さは約８ｍｍ、基体底面の厚さは約４ｍｍ、基体全体の厚さは約１２ｍｍ、ネック部の直径は約２ｍｍ、ネック部の長さは約４ｍｍ、胴体部の直径は約４ｍｍ、胴体部の長さは約４ｍｍ、ピッチ（Ｐ２）は約６ｍｍであった。得られた基体に、実施例１と同様の装飾層を積層して吸音ボードサンプル（実施例４−２）を作成した。
【００６５】
実施例４−３の基体は、溝の深さは約８ｍｍ、基体底面の厚さは約６ｍｍ、基体全体の厚さは約１２ｍｍ、ネック部の直径は約２ｍｍ、ネック部の長さは約４ｍｍ、胴体部の直径は約２ｍｍ、胴体部の長さは約２ｍｍ、ピッチ（Ｐ２）は約６ｍｍであった。得られた基体に、実施例１と同様の装飾層を積層して吸音ボードサンプル（実施例４−３）を作成した。
【００６６】
得られた吸音ボードサンプルの吸音率を測定し、結果を図９に示した。図９のグラフにおいて、Ａは実施例４−１、Ｂは実施例４−２、Ｃは実施例４−３の吸音率をそれぞれ示す。
【００６７】
実施例５〜７
実施例５のサンプルの作成
実施例２と同様のセラミックを図１の様な断面を有する押出し型で押出し１２０℃のオートクレーブで５０分加熱加圧養生した後、乾燥して基体を製造した。
【００６８】
溝の深さは約５ｍｍ、基体底面の厚さは約７ｍｍ、基体全体の厚さは約１２ｍｍ、ネック部の直径は約２ｍｍ、ネック部の長さは約１ｍｍ、胴体部の直径は約４ｍｍ、胴体部の長さは約４ｍｍ、ピッチ（Ｐ２）は約６ｍｍであった。得られた基体に、実施例１と同様の装飾層を積層して吸音ボードサンプルを作成した。
実施例６のサンプルの作成
実施例２と同様のセラミックを図１の様な断面を有する押出し型で押出し１２０℃のオートクレーブで５０分加熱加圧養生した後、乾燥して基体を製造した。
【００６９】
溝の深さは約９ｍｍ、基体底面の厚さは約３ｍｍ、基体全体の厚さは約１２ｍｍ、ネック部の直径は約２ｍｍ、ネック部の長さは約５ｍｍ、胴体部の直径は約４ｍｍ、胴体部の長さは約４ｍｍ、ピッチ（Ｐ２）は約６ｍｍであった。得られた基体に、実施例１と同様の装飾層を積層して吸音ボードサンプルを作成した。
実施例７のサンプルの作成
実施例２と同様のセラミックを図４の様な断面を有する押出し型で押出し１２０℃のオートクレーブで５０分加熱加圧養生した後、乾燥して基体を製造した。
【００７０】
溝の深さは深い方が約９ｍｍ及び浅い方が約５ｍｍ、基体底面の厚さは薄い方が約３ｍｍ及び厚い方が約７ｍｍ、基体全体の厚さは約１２ｍｍ、ネック部の直径はいずれも約２ｍｍ、ネック部の長さは長い方が約５ｍｍ及び短い方が約１ｍｍ、胴体部の直径はいずれも約４ｍｍ、胴体部の長さはいずれも約４ｍｍ、ピッチ（Ｐ２）は約６ｍｍであった。得られた基体に、実施例１と同様の装飾層を積層して吸音ボードサンプルを作成した。
【００７１】
得られた実施例５〜７の吸音ボードサンプルの吸音率を測定し、結果を図１０に示した。図１０のグラフにおいて、Ａは実施例５、Ｂは実施例６、Ｃは実施例７の吸音率をそれぞれ示す。
【００７２】
実施例８
実施例８のサンプルの作成
ポリ塩化ビニル（ＰＶＣ）樹脂（徳山積水社製ＴＳ−８００Ｅ）に安定剤、滑剤を添加し押し出し機で混練溶融させ図１のような断面になるように押出し型で押出し冷却して基体を製造した。
【００７３】
溝の深さは約６ｍｍ、基体底面の厚さは約４ｍｍ、基体全体の厚さは約１０ｍｍ、ネック部の直径は約１ｍｍ、ネック部の長さは約２ｍｍ、胴体部の直径は約２ｍｍ、胴体部の長さは約４ｍｍ、ピッチ（Ｐ２）は約３ｍｍであった。得られた基体に、サンゲツ社製織物壁紙ＳＧ２１を貼り付けて吸音ボードサンプルを作成した。得られた吸音ボードサンプルの吸音率を測定し、結果を図１１に示した。
【符号の説明】
【００７４】
１  吸音ボード
２  装飾層
３  基体
４  溝
４ａ  ネック部
４ｂ  胴体部
５  穴
６  基体底部
Ｐ１、Ｐ２  ピッチ
Ｌ１  ネック部の直径
Ｌ２  胴体部の直径
Ｌ３  溝の深さ
Ｌ４  基体底部の厚さ
Ｌ５  ネック部の長さ
Ｌ６  胴体部の長さ
【図１】
2013250501.tif 000003
【図２】
2013250501.tif 000004
【図３】
2013250501.tif 000005
【図４】
2013250501.tif 000006
【図５】
2013250501.tif 000007
【図６】
2013250501.tif 000008
【図７】
2013250501.tif 000009
【図８】
2013250501.tif 000010
【図９】
2013250501.tif 000011
【図１０】
2013250501.tif 000012
【図１１】
2013250501.tif 000013